(57)【特許請求の範囲】
【請求項１】
庇取り付け壁面２に取り付けられる壁取り付け部材３と、
この壁取り付け部材３に係合して固定されるパネル取り付け用部材４と、
このパネル取り付け用部材４に取り付けられる庇パネル６とから構成されており、
庇パネル６は、アルミ押し出しにより作られ前後方向に向く多数本の型材７を備え、前記多数本の型材７のうち、隣り合う一方の型材７の一側部の係合部１４と、前記一方の型材７と隣り合う他方の型材７の他側部の係合部１５とは、前記一側部の係合部１４と前記他側部の係合部１５との間にピン１６が打ち込まれて互いに突っ張り合った状態で係合されて形成されるパネル中間補強材８と、
このパネル中間補強材８を上下から挟む表裏のプレート９，１０と、
アルミ押し出しにより作られ、前記パネル中間補強材８の左右両側部に位置する型材７の係合部１４，１５と係合する係合部２０を備え、前記型材７の係合部１４と前記係合部２０との間および前記型材７の係合部１５と前記係合部２０との間にはピン１６が打ち込まれて、前記係合部１４と前記係合部２０とが互いに突っ張り合い、さらに前記係合部１５と前記係合部２０とが互いに突っ張り合った状態で係合されるパネル両側補強材１１と、
このパネル両側補強材１１が結合されたパネル中間補強材８の前端部に結合されるアルミ押し出しにより作られた型材からなる先端見切りブラケット１２と、
この先端見切りブラケット１２に装着されるアルミ押し出しにより作られた先端見切り部材５とから構成されてなることを特徴とする建物用庇１。
【発明の詳細な説明】
【技術分野】
【０００１】
本発明は、建物の軒先などに直射日光や雨水などを遮るために取り付けられる建物用庇に関するものである。
【背景技術】
【０００２】
従来のこの種建物用庇としては、例えば特許文献１に開示されているように、軒内側端部を躯体固着面とし、軒外側端部に係合受構造を備えてなる基礎パネルと、軒内側端部に係合構造を設け、軒外側端部に係合受構造を備えてなる連結パネルと、軒内側端部に係合構造を備えてなる先端パネルとからなり、前記基礎パネルを躯体に固定し、この基礎パネルの軒外方向に係合構造と係合受構造とを係合することにより１又は２以上の連結パネル、若しくは先端パネルを連結し、連結パネルの軒外方向にはさらに係合構造と係合受構造とを係合することにより先端パネルを連結する構成を有する連結型庇が知られている。
【特許文献１】特開２０００−１４５０７８号公報
【発明の開示】
【発明が解決しようとする課題】
【０００３】
上記の特許文献１に開示されている連結型庇は基礎パネルと連結パネルと先端パネルとからなり、基礎パネルと連結パネルと先端パネルの全てがアルミの押出材から形成されていて、それぞれが一体構成となっており、前後方向の長さが長い庇にあっては、製造するための金型も大きいものが必要となり、コストが高くつくという問題があった。
【０００４】
本発明の目的は、このような課題を解決するものであり、基礎パネル、連結パネル、先端パネルそれぞれがアルミの押出材から形成されて一体構成となっている従来のものに比べて安価な建物用庇を提供することにある。
【課題を解決するための手段】
【０００５】
本発明の請求項１に記載の建物用庇は、庇取り付け壁面２に取り付けられる壁取り付け部材３と、この壁取り付け部材３に係合して固定されるパネル取り付け用部材４と、このパネル取り付け用部材４に取り付けられる庇パネル６とから構成されており、庇パネル６は、アルミ押し出しにより作られ前後方向に向く多数本の型材７を備え、隣り合う一方の型材７の一側部の係合部１４と隣り合う他方の型材７の他側部の係合部１５とは、前記一側部の係合部１４と前記他側部の係合部１５との間にピン１６が打ち込まれて互いに突っ張り合った状態で係合されて形成されるパネル中間補強材８と、このパネル中間補強材８を上下から挟む表裏のプレート９，１０と、アルミ押し出しにより作られ、前記パネル中間補強材８の左右両側部に位置する型材７の係合部１４，１５と係合する係合部２０を備え、前記型材７の係合部１４と前記係合部２０との間および前記型材７の係合部１５と前記係合部２０との間にはピン１６が打ち込まれて、前記係合部１４と前記係合部２０とが互いに突っ張り合い、さらに前記係合部１５と前記係合部２０とが互いに突っ張り合った状態で係合されるパネル両側補強材１１と、このパネル両側補強材１１が結合されたパネル中間補強材８の前端部に結合されるアルミ押し出しにより作られた型材からなる先端見切りブラケット１２と、この先端見切りブラケット１２に装着されるアルミ押し出しにより作られた先端見切り部材５とから構成されてなることを特徴とする。
【発明の効果】
【０００６】
以上のように、本発明の建物用庇は、庇パネルの大部分を構成するパネル中間補強材は適当間隔おきに位置する長さ方向中間部が存在せず長さ方向両端のみが存在する多数本の前後方向に向く型材を結合させて構成されており、全体をアルミの押出材から形成されて一体構成としたものに比べて、同じ成形型で作られた型材を多数本用意して組み立てるようになっているので、成形型自体の価格が安く上がり、庇パネル全体の重量の軽減とともにコストダウンを図ることができ、型材の本数の調整によりサイズを自由に変更できる。
【発明を実施するための最良の形態】
【０００７】
以下、本発明の実施の形態を、図面に基づいて説明する。
先ず、図１〜図２３に示す第１の実施の形態について説明すると、本実施の形態の建物用庇１は、建物における庇取り付け壁面２に取り付けられる壁取り付け部材３と、この壁取り付け部材３に係合して取り付けられるパネル取り付け用部材４と、このパネル取り付け用部材４に取り付けられ前端部に内部が空洞の先端見切り部材５を備えた庇パネル６とから構成されている。
【０００８】
次に、各部材について詳細に説明すると、前記庇パネル６はアルミ押し出しにより作られた多数本の前後方向に向く型材７を結合させてなるパネル中間補強材８と、このパネル中間補強材８を上下から挟む表裏のアルミ製のプレート９，１０と、前記パネル中間補強材８の左右両側部に結合されるアルミ押し出しにより作られた型材からなるパネル両側補強材１１と、このパネル両側補強材１１が結合されたパネル中間補強材８の前端部に結合されるアルミ押し出しにより作られた型材からなる先端見切りブラケット１２と、この先端見切りブラケット１２に装着されるアルミ押し出しにより作られた先端見切り部材５とから構成される。さらに詳細に説明すると、前記パネル中間補強材８に使用される型材７は、幅方向中央に長さ方向全長に亘って上面に溝１３が形成されており、両側に長さ方向全長に亘って係合部１４，１５が形成されていて内部が空洞となっている。そして、溝１３の位置で内部が左右に仕切られた形状を呈しており、隣り合う一方の型材７の一側部の係合部１４と隣り合う他方の型材７の他側部の係合部１５が係合するとともに、互いに係合した両係合部１４，１５間にパネル中間補強材８の前後両端位置においてピン１６を打ち込むことにより両係合部１４，１５が互いに突っ張り合い、隣り合う一方の型材７，７同士を結合させている。図面に示す実施の形態ではパネル中間補強材８の重量を軽減させるために適当間隔おきに位置する型材７の長さ方向中間部が存在せず長さ方向両端のみが存在するような構成となっており、その箇所における型材７は長さの短いものが使用されている。パネル中間補強材８は以上のように型材７を順番に結合させることにより組み立てられるものである。このように組み立てられたパネル中間補強材８の前後方向全長に亘って繋がる適当間隔おきでの型材７の後端近傍部のパネル取り付け用部材４との取り付け部において、上面の溝１３にボルト１７を上下逆に向けてボルト１７の頭部１７ａを嵌め込み、雄ねじ部１７ｂを溝１３から上方に突出させておく。そして、ボルト１７の雄ねじ部１７ｂに板状のスペーサー１８を嵌め込む。図面に示す実施の形態ではこのスペーサー１８は全てのボルト１７の雄ねじ部１７ｂに一体に嵌るように連続状態で形成されているが、各ボルト１７の雄ねじ部１７ｂに個々に対応するように複数枚用意することも可能である。組み立てられたパネル中間補強材８は上下からプレート９，１０で挟まれ、上側のプレート９には後端近傍部に形成された小孔９ａを前記溝１３から上方に突出する雄ねじ部１７ｂに嵌め合わせる。また、下側のプレート１０は前記パネル中間補強材８の型材７の裏面に対し両面粘着テープ１９で貼り合わされる。なお、パネル中間補強材８は上下から挟んだ状態においてプレート９，１０の両側はパネル中間補強材８から前記パネル両側補強材１１の幅分両側に突出している。また、前記パネル両側補強材１１は上下反転させることにより前記型材７の係合部１４，１５の何れにも係合できる係合部２０を一端に備え、内部が空洞となっており、他端部は庇パネル６の端面を形成すべく側面がフラットになっていて、その上下には前記プレート９，１０の端部を差し込むための溝２１ａ，２１ｂが形成されている。なお、パネル両側補強材１１は溝２１ａまたは２１ｂの位置で前端部下面および後端部の上下両面が切除されている。このような構成のパネル両側補強材１１を上下にプレート９，１０がセットされたパネル中間補強材８の左右両側部に互いに上下反転させた状態で位置させ、一側部ではパネル両側補強材１１の係合部２０を型材７の係合部１４に係合させるとともに溝２１ａ，２１ｂにパネル中間補強材８から突出するプレート９，１０を嵌め合わせる。また、他側部ではパネル両側補強材１１の係合部２０を型材７の係合部１５に係合させるとともに溝２１ａ，２１ｂにパネル中間補強材８から突出するプレート９，１０を嵌め合わせる。その状態で両係合部１４，２０間および両係合部１５，２０間に前後からピン１６を差し込むことにより両係合部１４，２０および両係合部１５，２０が互いに突っ張り合い、型材７とパネル両側補強材１１を結合させている。図面からも明らかなようにパネル中間補強材８の型材７はパネル両側補強材１１よりも高さが僅かに低くなるように構成されており、パネル中間補強材８と上側のプレート９との間には間隙が形成される。前記先端見切りブラケット１２はパネル中間補強材８およびパネル両側補強材１１の前端面に当接する板部１２ａと、この板部１２ａの前面における上下に設けられた先端見切り部材取り付け用の係止部１２ｂ，１２ｃと、板部１２ａの背面における上端近傍から後方に水平に突出するように設けられ前記パネル中間補強材８の前端部の上に当接する板部１２ｄとからなり、板部１２ｄをパネル中間補強材８の前端部の上に当接させるようにして板部１２ａをパネル中間補強材８およびパネル両側補強材１１の前端面に当てがい、板部１２ａの前方より前記パネル中間補強材８の互いに係合した両係合部１４，１５間および型材７とパネル両側補強材１１の互いに係合した両係合部１４，２０間および両係合部１５，２０間にタッピングねじ２２をねじ込み、先端見切りブラケット１２はパネル中間補強材８およびパネル両側補強材１１の前端面に取り付けられるようになる。なお、この先端見切りブラケット１２は両端部において板部１２ｄが切除されており、その理由は、板部１２ｄをパネル中間補強材８と上側のプレート９との間に差し込むことができるようにするためである。このようにパネル中間補強材８およびパネル両側補強材１１の前端面に取り付けられた先端見切りブラケット１２の係止部１２ｂ，１２ｃに先端見切り部材５の後部の係止部５ａ，５ｂを係止させ、先端見切り部材５の下端に後方に突出する舌片５ｃをパネル両側補強材１１の前端部下面の切除部１１ａに当てがってこの舌片５ｃで下側のプレート１０の前端部を下から押えた状態で、先端見切り部材５の両側に取り付けられたアルミ製の蓋体２３を先端見切りブラケット１２に対しタッピングねじ２４により固定している。
【０００９】
以上のように構成された庇パネル６は建物における庇取り付け壁面２に取り付けられる壁取り付け部材３と、この壁取り付け部材３に係合して取り付けられるパネル取り付け用部材４とにより建物の出入り口の上部に取り付けられる。壁取り付け部材３とパネル取り付け用部材４はアルミ押し出しにより作られている。壁取り付け部材３は庇取り付け壁面２に当接する鉛直方向に向く板部３ａと、この板部３ａの上端近傍から前方に張り出す係止片３ｂと、この板部３ａの上下方向中間部から前方に張り出し先端３ｃが斜め下向きに傾斜する支持片３ｄと、板部３ａの下端から前方に張り出す板部３ｅの先端近傍の上面に形成された溝３ｆと、この溝３ｆから前方に張り出すパネル受け板部３ｇとを備えている。また、前記パネル取り付け用部材４は上端に前記壁取り付け部材３の係止片３ｂに係止する係止片４ａと、この係止片４ａから下方に延びる板部４ｂの途中に前記支持片３ｄの先端３ｃに当接する傾斜部４ｃと、この傾斜部４ｃの直ぐ下側の位置の板部４ｂから前方に張り出し前記庇パネル６の後端部と結合されるパネル連結板部４ｄとを備え、板部４ｂの下端が前記壁取り付け部材３の溝３ｆに嵌入するように構成されている。従って、庇取り付け壁面２に庇パネル６を取り付ける場合、先ず庇取り付け壁面２の所定位置に壁取り付け部材３をボルト２５、ナット２６により取り付けておく。そして、パネル取り付け用部材４を壁取り付け部材３に固定する前に、庇パネル６の上側のプレート９から上方に突出する前記ボルト１７の雄ねじ部１７ｂをパネル取り付け用部材４のパネル連結板部４ｄに形成されている孔部４ｅを通して上方に突出させ、パネル連結板部４ｄの下面と板部４ｂの前面とに庇パネル６の後端部を当接させた状態で雄ねじ部１７ｂに上方からナット２７を螺合させることにより庇パネル６の後端部にパネル取り付け用部材４を結合させておく。かかる状態で、パネル取り付け用部材４を壁取り付け部材３に近づけ、パネル取り付け用部材４の上端の係止片４ａを壁取り付け部材３の係止片３ｂに係止させるとともに板部４ｂの下端を壁取り付け部材３の溝３ｆに嵌入させ、傾斜部４ｃを壁取り付け部材３の支持片３ｄの先端３ｃに当接させた状態とし、これにより庇パネル６の後端部裏面はパネル受け板部３ｇで受けられ、傾斜部４ｃと支持片３ｄの先端３ｃとをタッピングねじ２８により結合させる。このようにパネル取り付け用部材４を介して庇パネル６を壁取り付け部材３に結合させた状態において、パネル両側補強材１１の後端部の上面に切除部１１ｂがあることによりパネル連結板部４ｄが上側のプレート９に重なり、またパネル両側補強材１１の後端部の下面に切除部１１ｃがあることにより板部３ｅが下側のプレート１０に重なるようになる。以上により庇パネル６は建物における庇取り付け壁面２に取り付けられるのであるが、最終的に壁取り付け部材３とパネル取り付け用部材４との結合部やパネル取り付け用部材４と庇パネル６との結合部は、アルミ押し出しにより作られ両側にアルミ製の蓋体２９が取り付けられたカバー３０で覆われる。詳しくはこのカバー３０は上端の後端部が前記壁取り付け部材３の板部３ａの上端に形成された溝３ｈに差し込まれ、下端の前端部がパネル取り付け用部材４のパネル連結板部４ｄの先端に重なり、その重なり部をタッピングねじ３１により結合させ、さらに蓋体２９を壁取り付け部材３およびパネル取り付け用部材４に対しタッピングねじ３２により固定している。
【００１０】
ところで、庇パネル６が例えば横幅が小さく前後への飛び出し長さが短くて軽量の場合は壁取り付け部材３とパネル取り付け用部材４を介して庇取り付け壁面２に取り付けられるだけで良いが、庇パネル６が大きく重い場合は図面に示すように庇取り付け壁面２との間にステイ３３を介在させれば良い。このようにステイ３３を介在させる場合、予め前記庇パネル６のパネル中間補強材８の型材７の溝１３に前記ボルト１７同様にボルトの頭部を嵌め込んでおき、このボルトの雄ねじ部を庇パネル６から上方に突出させるようにして、庇取り付け壁面２に一端が結合されたステイ３３の他端をボルトの雄ねじ部にナットを螺合して結合させるのである。
【００１１】
以上第１の実施の形態について述べたが、図２４に示す第２の実施の形態のようにパネル中間補強材８の型材７として全て長さの長いものを用いるようにしても良い。
また、図２５に示す第３の実施の形態のように、第１の実施の形態で用いた型材７よりも横幅の狭い型材３４を用いるようにしても良い。
【００１２】
さらに、前記プレート９，１０は全体をアルミのみで作られたものでも良いが、雨音などを緩和させるために樹脂製の弾性のあるプレートを裏面などに積層させるようにしても良い。
【図面の簡単な説明】
【００１３】
【図１】本発明の第１の実施の形態における建物用庇の分解斜視図である。
【図２】同庇パネルの分解斜視図である。
【図３】同庇パネルに使用されるパネル中間補強材の型材の正面図である。
【図４】同パネル中間補強材を互いに結合させる状態を示す斜視図である。
【図５】同パネル中間補強材を互いに結合させた状態を示す要部拡大正面図である。
【図６】同結合されたパネル中間補強材に上下のプレートを重ねる状態を示す斜視図である。
【図７】同結合されたパネル中間補強材に上下のプレートを重ねた状態を示す斜視図である。
【図８】同庇パネルに使用されるパネル両側補強材の正面図である。
【図９】同パネル両側補強材の斜視図である。
【図１０】同パネル中間補強材とパネル両側補強材と上下のプレートを結合させた状態を示す斜視図である。
【図１１】同パネル中間補強材とパネル両側補強材と上下のプレートを結合させた状態を示す要部拡大正面図である。
【図１２】同先端見切りブラケットの側面図である。
【図１３】同先端見切りブラケットの斜視図である。
【図１４】同先端見切りブラケットをパネル中間補強材およびパネル両側補強材の前端に取り付けた状態を示す一部破断斜視図である。
【図１５】同先端見切り部材の斜視図である。
【図１６】同先端見切り部材の断面図である。
【図１７】同先端見切り部材を先端見切りブラケットに取り付けた状態を示す外観斜視図である。
【図１８】同先端見切り部材を先端見切りブラケットに取り付けた状態を示す断面図である。
【図１９】同壁取り付け部材の側面図である。
【図２０】同パネル取り付け用部材の側面図である。
【図２１】同庇パネルを庇取り付け壁面に取り付け、カバーを取り付ける前の状態を示す要部拡大斜視図である。
【図２２】同庇パネルを庇取り付け壁面に取り付け、カバーで覆った建物用庇の全体断面図である。
【図２３】同建物用庇の全体斜視図である。
【図２４】本発明の第２の実施の形態における建物用庇に使用されるパネル中間補強材の斜視図である。
【図２５】本発明の第３の実施の形態における建物用庇のパネル中間補強材に使用される型材の正面図である。
【符号の説明】
【００１４】
１                      建物用庇
２                      庇取り付け壁面
３                      壁取り付け部材
３ａ                    板部
３ｂ                    係止片
３ｃ                    先端
３ｄ                    支持片
３ｅ                    板部
３ｆ                    溝
３ｇ                    パネル受け板部
３ｈ                    溝
４                      パネル取り付け用部材
４ａ                    係止片
４ｂ                    板部
４ｃ                    傾斜部
４ｄ                    パネル連結板部
４ｅ                    孔部
５                      先端見切り部材
５ａ，５ｂ              係止部
５ｃ                    舌片
６                      庇パネル
７                      型材
８                      パネル中間補強材
９，１０                  プレート
９ａ                      小孔
１１                      パネル両側補強材
１１ａ，１１ｂ，１１ｃ    切除部
１２                      先端見切りブラケット
１２ａ                    板部
１２ｂ，１２ｃ            係止部
１２ｄ                    板部
１３                      溝
１４，１５                係合部
１６                      ピン
１７                      ボルト
１７ａ                    頭部
１７ｂ                    雄ねじ部
１８                      スペーサー
１９                      両面粘着テープ
２０                      係合部
２１ａ，２１ｂ            溝
２２                      タッピングねじ
２３                      蓋体
２４                      タッピングねじ
２５                      ボルト
２６                      ナット
２７                      ナット
２８                      タッピングねじ
２９                      蓋体
３０                      カバー
３１，３２                タッピングねじ
３３                      ステイ
３４                      型材
【図１】
0005258308.tif 000002
【図２】
0005258308.tif 000003
【図３】
0005258308.tif 000004
【図４】
0005258308.tif 000005
【図５】
0005258308.tif 000006
【図６】
0005258308.tif 000007
【図７】
0005258308.tif 000008
【図８】
0005258308.tif 000009
【図９】
0005258308.tif 000010
【図１０】
0005258308.tif 000011
【図１１】
0005258308.tif 000012
【図１２】
0005258308.tif 000013
【図１３】
0005258308.tif 000014
【図１４】
0005258308.tif 000015
【図１５】
0005258308.tif 000016
【図１６】
0005258308.tif 000017
【図１７】
0005258308.tif 000018
【図１８】
0005258308.tif 000019
【図１９】
0005258308.tif 000020
【図２０】
0005258308.tif 000021
【図２１】
0005258308.tif 000022
【図２２】
0005258308.tif 000023
【図２３】
0005258308.tif 000024
【図２４】
0005258308.tif 000025
【図２５】
0005258308.tif 000026